(57)【要約】【課題】作業性が向上した換気装置を提供する。【解決手段】本体１と、ルーバー７と、給気送風機２と、排気送風機３と、を備えた換気装置において、ルーバー７は、給気パネル９、パネル保持部３０、ルーバーフレーム１４を含み、給気パネル９はパネル保持部３０によりルーバーフレーム１４に保持され、パネル保持部３０は、引掛け部３３および押さえ部３４を含み、引掛け部３３は、底面部３２から上方に向かって突出して設けられ、押さえ部３４は、側面部３１から引掛け部３３に向かって突出して設けられ、給気パネル９は折り返し部４２を含み、折り返し部４２は、押さえ部３４および引掛け部３３が挿入される引掛け穴４４を有し、給気パネル９が開いている場合、給気パネル９は、押さえ部３４が引掛け穴４４に挿入される状態となり、給気パネル９が閉じている場合、給気パネル９は、引掛け部３３が引掛け穴４４に挿入される状態となる換気装置。【選択図】図７
2019027656.tif 000002
【特許請求の範囲】
【請求項１】
箱状の本体と、
前記本体の下方に設けられたルーバーと、
前記本体内に設けられた給気送風機と、
排気送風機と、を備えた換気装置において、
前記ルーバーは、給気パネル、環気パネル、パネル保持部、ルーバーフレームおよび点検パネルを含み、
前記給気パネルおよび前記環気パネルは前記パネル保持部により前記ルーバーフレームに保持され、
前記ルーバーフレームは点検開口を有し、
前記点検パネルは前記点検開口に設けられ、
前記ルーバーは、前記給気パネル側に給気口、前記環気パネル側に環気口を有し、
前記本体の側面に外気口および排気口が設けられ、
前記給気送風機により前記外気口から前記給気口へ屋外の空気が送風される給気風路が形成され、
前記排気送風機により前記環気口から前記排気口へ室内の空気が送風される排気風路が形成され、
前記パネル保持部は、側面部、底面部、引掛け部および押さえ部を含み、
前記側面部は、前記ルーバーフレームに接続され、
前記底面部は、前記側面部に接続され、
前記引掛け部は、前記底面部から上方に向かって突出して設けられ、
前記押さえ部は、前記側面部から前記引掛け部に向かって突出して設けられ、
前記給気パネルは、正面部、曲げ部および折り返し部を含み、
前記給気パネルが閉じている場合、前記正面部は、前記ルーバーフレームとの間に前記給気風路の一部を形成し、
前記曲げ部は、前記正面部と前記折り返し部とを接続し、
前記折り返し部は、前記正面部と重なる方向に折り返すように設けられ、前記押さえ部および前記引掛け部が挿入される引掛け穴を有し、
前記給気パネルが開いている場合、前記給気パネルは、前記押さえ部が前記引掛け穴に挿入される状態となり、
前記給気パネルが閉じている場合、前記給気パネルは、前記引掛け部が前記引掛け穴に挿入される状態となることを特徴とする換気装置。
【請求項２】
前記折り返し部は、前記引掛け穴が設けられる折り返し面を含み、
前記給気パネルが開いている場合、前記給気パネルは、前記折り返し面の端部によって前記底面部に支持され、
前記給気パネルが閉じている場合、前記給気パネルは、前記折り返し面と前記底面部とが密着することによって前記底面部に支持されることを特徴とする請求項１に記載の換気装置。
【請求項３】
前記給気パネルは、前記折り返し面の端部を支点として回動することで、前記押さえ部が前記引掛け穴に挿入された状態と、前記引掛け部が前記引掛け穴に挿入された状態とを切り替えることを特徴とする請求項２に記載の換気装置。
【請求項４】
前記引掛け穴に前記押さえ部が挿入されている状態において、前記押さえ部は、前記給気パネルの上下方向の移動を制限し、
前記引掛け穴に前記引掛け部が挿入されている状態において、前記引掛け部は、前記給気パネルの左右方向の移動を制限することを特徴とする請求項１〜３の何れか１項に記載の換気装置。
【請求項５】
前記押さえ部は、前記側面部から前記引掛け部に向かって下方に傾斜し、
前記給気パネルを前記パネル保持部に取り付ける際に、前記折り返し面の端部は、前記押さえ部の上面に載ると、前記押さえ部に沿って前記引掛け部の近傍における前記底面部に案内されることを特徴とする請求項１〜４の何れか１項に記載の換気装置。
【請求項６】
前記押さえ部の前記引掛け部側における端部が、前記引掛け部の上端より低いことを特徴とする請求項５に記載の換気装置。
【発明の詳細な説明】
【技術分野】
【０００１】
本発明は、換気装置に関するものである。
【背景技術】
【０００２】
従来、この種の換気装置としては、建物内に設置され外気を外気給気口から導入し、内蔵する熱交換器を経て室内に供給する換気装置が知られている（例えば、特許文献１参照）。
【０００３】
以下、その換気空調装置について図１２を参照しながら説明する。
【０００４】
図１２に示すように、外装ケーシング１０１は、建物内の天井裏空間に設置される。外装ケーシング１０１の下方には、パネル外装枠を介して下面パネル１０３が取り付けられている。新鮮外気は、給気口から導入され、パネル吹出口ＵＯを経て室内に供給される給気通風路１１４ｂを通過する。一方、室内の汚れた空気は、パネル吸込口ＵＩから導入され、排気口より室外に排気される排気通風路１１４ａを通過する。熱交換器１０９は、排気口から排気される排気流Ａ１と、給気口から給気された給気流Ｂ１との間で熱交換を行わせる構成としている。
【先行技術文献】
【特許文献】
【０００５】
【特許文献１】特許第５１７４９４９号公報
【発明の概要】
【発明が解決しようとする課題】
【０００６】
このような従来の換気装置においては、例えば地震等により下から力が加わった場合に、パネルが落下しやすいという課題があった。
【０００７】
そこで本発明は、上記従来の課題を解決するものであり、下から力が加わった場合でも、パネルが落下しにくい換気装置を提供することを目的とする。
【課題を解決するための手段】
【０００８】
そして、この目的を達成するために、本発明に係る換気装置は、箱状の本体と、前記本体の下方に設けられたルーバーと、前記本体内に設けられた給気送風機と、排気送風機と、を備えた換気装置において、前記ルーバーは、給気パネル、環気パネル、パネル保持部、ルーバーフレームおよび点検パネルを含み、前記給気パネルおよび前記環気パネルは前記パネル保持部により前記ルーバーフレームに保持され、前記ルーバーフレームは点検開口を有し、前記点検パネルは前記点検開口に設けられ、前記ルーバーは、前記給気パネル側に給気口、前記環気パネル側に環気口を有し、前記本体の側面に外気口および排気口が設けられ、前記給気送風機により前記外気口から前記給気口へ屋外の空気が送風される給気風路が形成され、前記排気送風機により前記環気口から前記排気口へ室内の空気が送風される排気風路が形成され、前記パネル保持部は、側面部、底面部、引掛け部および押さえ部を含み、前記側面部は、前記ルーバーフレームに接続され、前記底面部は、前記側面部に接続され、前記引掛け部は、前記底面部から上方に向かって突出して設けられ、前記押さえ部は、前記側面部から前記引掛け部に向かって突出して設けられ、前記給気パネルは、正面部、曲げ部および折り返し部を含み、前記給気パネルが閉じている場合、前記正面部は、前記ルーバーフレームとの間に前記給気風路の一部を形成し、前記曲げ部は、前記正面部と前記折り返し部とを接続し、前記折り返し部は、前記正面部と重なる方向に折り返すように設けられ、前記押さえ部および前記引掛け部が挿入される引掛け穴を有し、前記給気パネルが開いている場合、前記給気パネルは、前記押さえ部が前記引掛け穴に挿入される状態となり、前記給気パネルが閉じている場合、前記給気パネルは、前記引掛け部が前記引掛け穴に挿入される状態となる換気装置であり、これにより所期の目的を達成するものである。
【発明の効果】
【０００９】
本発明によれば、パネルの取り外しが容易にでき、作業性が向上する。
【図面の簡単な説明】
【００１０】
【図１】本発明の実施の形態１の換気装置を示す下方斜視図
【図２】同換気装置を示す正面図
【図３】同換気装置の給気パネル開放時を示す下方斜視図
【図４】パネル保持部を示す斜視図
【図５】（ａ）給気パネルが開いている状態を示す側面図（ｂ）給気パネルが開いている状態のパネル保持部近傍を示す断面図
【図６】（ａ）給気パネルが閉じている状態を示す側面図（ｂ）給気パネルが閉じている状態のパネル保持部近傍を示す断面図
【図７】給気パネルが開いている状態のパネル保持部近傍を示す斜視図
【図８】給気パネルが閉じている状態のパネル保持部近傍を示す斜視図
【図９】給気パネルの取り付け動作を模式的に示す側面図
【図１０】給気パネルの取り付け動作を模式的に示す側面図
【図１１】給気パネルの取り付け動作を模式的に示す側面図
【図１２】従来の換気装置を示す断面図
【発明を実施するための形態】
【００１１】
本発明に係る換気装置は、箱状の本体と、前記本体の下方に設けられたルーバーと、前記本体内に設けられた給気送風機と、排気送風機と、を備えた換気装置において、前記ルーバーは、給気パネル、環気パネル、パネル保持部、ルーバーフレームおよび点検パネルを含み、前記給気パネルおよび前記環気パネルは前記パネル保持部により前記ルーバーフレームに保持され、前記ルーバーフレームは点検開口を有し、前記点検パネルは前記点検開口に設けられ、前記ルーバーは、前記給気パネル側に給気口、前記環気パネル側に環気口を有し、前記本体の側面に外気口および排気口が設けられ、前記給気送風機により前記外気口から前記給気口へ屋外の空気が送風される給気風路が形成され、前記排気送風機により前記環気口から前記排気口へ室内の空気が送風される排気風路が形成され、前記パネル保持部は、側面部、底面部、引掛け部および押さえ部を含み、前記側面部は、前記ルーバーフレームに接続され、前記底面部は、前記側面部に接続され、前記引掛け部は、前記底面部から上方に向かって突出して設けられ、前記押さえ部は、前記側面部から前記引掛け部に向かって突出して設けられ、前記給気パネルは、正面部、曲げ部および折り返し部を含み、前記給気パネルが閉じている場合、前記正面部は、前記ルーバーフレームとの間に前記給気風路の一部を形成し、前記曲げ部は、前記正面部と前記折り返し部とを接続し、前記折り返し部は、前記正面部と重なる方向に折り返すように設けられ、前記押さえ部および前記引掛け部が挿入される引掛け穴を有し、前記給気パネルが開いている場合、前記給気パネルは、前記押さえ部が前記引掛け穴に挿入される状態となり、前記給気パネルが閉じている場合、前記給気パネルは、前記引掛け部が前記引掛け穴に挿入される状態となる換気装置である。
【００１２】
これにより、給気パネルが開いている場合、給気パネルは、押さえ部が引掛け穴に挿入されることでパネル保持部に保持され、給気パネルが閉じている場合、給気パネルは、引掛け部が引掛け穴に挿入されることでパネル保持部に保持される。これによりパネルの取り外しが容易にでき、作業性が向上する。
【００１３】
また、前記折り返し部は、前記引掛け穴が設けられる折り返し面を含み、前記給気パネルが開いている場合、前記給気パネルは、前記折り返し面の端部によって前記底面部に支持され、前記給気パネルが閉じている場合、前記給気パネルは、前記折り返し面と前記底面部とが密着することによって前記底面部に支持される構成としてもよい。
【００１４】
このような構成とすることで、給気パネルの取り付け時など、給気パネルが開いている場合、給気パネルは、折り返し面の端部が底面部と当接することでパネル保持部に保持され、給気を行う時など、給気パネルが閉じている場合、給気パネルは、折り返し面と底面部とが密着することによって底面部に支持される。これにより、パネルの取り外しが容易にでき、作業性がさらに向上する。
【００１５】
また、前記給気パネルは、前記折り返し面の端部を支点として回動することで、前記押さえ部が前記引掛け穴に挿入された状態と、前記引掛け部が前記引掛け穴に挿入された状態とを切り替える構成としてもよい。
【００１６】
これにより、給気パネルを開閉する際に折り返し面の端部を支点として作業できるため、高所作業となるような場合でも、作業者が作業しやすくなる。
【００１７】
また、前記引掛け穴に前記押さえ部が挿入されている状態において、前記押さえ部は、前記給気パネルの上下方向の移動を制限し、前記引掛け穴に前記引掛け部が挿入されている状態において、前記引掛け部は、前記給気パネルの左右方向の移動を制限する構成としてもよい。
【００１８】
これにより、給気パネルが開いている場合は、押さえ部で給気パネルの上下方向の移動を制限し、給気パネルが閉じている場合は、引掛け部で給気パネルの左右方向への移動を制限することができるため、例えば下から上へ力が加えられた場合等でも、パネルが外れにくい。
【００１９】
また、前記押さえ部は、前記側面部から前記引掛け部に向かって下方に傾斜し、前記給気パネルを前記パネル保持部に取り付ける際に、前記折り返し面の端部は、前記押さえ部の上面に載ると、前記押さえ部に沿って前記引掛け部の近傍における前記底面部に案内される構成としてもよい。
【００２０】
このような構成とすることで、給気パネルを取り付ける際に、折り返し面の端部を押さえ部に載せると、折り返し面の端部が傾斜している押さえ部に沿って滑るように動き、引掛け部の近傍における前記底面部に案内される。これにより、引掛け穴に引掛け部がスムーズに挿入され、給気パネルを取り付ける作業の作業性が向上する。
【００２１】
また、前記押さえ部の前記引掛け部側における端部が、前記引掛け部の上端より低い構成としてもよい。
【００２２】
これにより、傾斜した押さえ部に沿って案内された給気パネルの引掛け穴が引掛け部に上から挿入されることとなり、よりスムーズに給気パネルを取り付けることができる。
【００２３】
以下、本発明の実施の形態について図面を参照しながら説明する。
【００２４】
（実施の形態１）
本発明の実施の形態１に係る換気装置について、図１〜図３を用いて本体の構成について説明する。
【００２５】
図１、２に示すように、換気装置は、本体１と、ルーバー７と、給気送風機２と、排気送風機３と、全熱交換素子６とを備える。
【００２６】
本体１は、箱状で、天井面１７の上方に設けられる。
【００２７】
給気送風機２および排気送風機３は、本体１の内部に設けられる。
【００２８】
ルーバー７は、本体１の下方に設けられる。
【００２９】
ルーバー保持部８は、本体１とルーバー７を接続する。
【００３０】
ルーバー７は、給気パネル９と、環気パネル１０と、パネル保持部３０と、ルーバーフレーム１４と、点検パネル１６とを含む。
【００３１】
給気パネル９および環気パネル１０は、パネル保持部３０によりルーバーフレーム１４に保持される。
【００３２】
ルーバーフレーム１４は、点検開口２５を有し、点検パネル１６は点検開口２５に設けられる。
【００３３】
ルーバー７は、給気パネル９側に給気口１２、環気パネル１０側に環気口１３を有している。
【００３４】
本体１および点検パネル１６は天井面１７の上方に設けられる。
【００３５】
ルーバーフレーム１４の一部と、パネル保持部３０と、給気パネル９と、環気パネル１０と、は天井面１７の下方に設けられ、室内空間に露出している。
【００３６】
本体１において、第１側面２８には外気口４および排気口５が設けられ、第２側面２９にはメンテナンスパネル１５が設けられる。
【００３７】
給気送風機２により外気口４から給気口１２へ屋外の空気が送風される給気風路Ａが形成される。また、排気送風機３により環気口１３から排気口５へ室内の空気が送風される排気風路Ｂが形成される。
【００３８】
給気口１２は、給気パネル９とルーバーフレーム１４との間に形成される。
【００３９】
給気風路Ａにおける空気は、給気パネル９、パネル保持部３０、および点検パネル１６によって囲まれた空間を通過した後に給気口１２から吹き出す。
【００４０】
点検パネル１６は、取り外せるものであり、例えばメンテナンスの際に開けられ（取り外され）、給気口１２から給気を行う場合は閉められている（取り付けられている）。
【００４１】
ここで図４〜図６を用いて、パネル保持部３０の構成について説明する。
【００４２】
図４に示すように、パネル保持部３０は、側面部３１と、底面部３２と、引掛け部３３と、押さえ部３４と、を含む。
【００４３】
側面部３１は、ルーバーフレーム１４に接続される。
【００４４】
底面部３２は、側面部３１に接続される。
【００４５】
引掛け部３３は、底面部３２からすなわち上方に向かって突出して設けられる。なお、ここでいう上方とは、重力方向と反対の方向すなわち給気パネル９からルーバーフレーム１４に向かう方向である。
【００４６】
押さえ部３４は、側面部３１から引掛け部３３に向かって突出して設けられる。
【００４７】
なお、押さえ部３４は、側面部から引掛け部に向かって下方に傾斜していてもよい。
【００４８】
このとき、給気パネル９をパネル保持部３０に取り付ける際に、折り返し面端部４５が押さえ部３４の上面に載ると、押さえ部３４に沿って引掛け部３３の近傍における底面部３２に案内される。これにより、スムーズに給気パネル９をパネル保持部３０に取り付けることができる。
【００４９】
さらに、押さえ部３４が傾斜している場合、押さえ部３４の引掛け部３３側における端部が、引掛け部３３の上端より低いとしてもよい。これにより、よりスムーズに給気パネル９をパネル保持部３０に取り付けることができる。
【００５０】
次に、図７を用いて、給気パネル９の構成について説明する。
【００５１】
給気パネル９は、正面部４０と、曲げ部４１と、折り返し部４２と、を含む。
【００５２】
正面部４０は、給気パネル９が閉じている場合に、ルーバーフレーム１４との間に給気風路の一部を形成する。
【００５３】
曲げ部４１は、正面部４０と折り返し部４２とを接続する。
【００５４】
折り返し部４２は、折り返し面４３と、引掛け穴４４と、折り返し面端部４５と、を含む。
【００５５】
折り返し部４２は、正面部４０と重なる方向に折り返すように設けられる。
【００５６】
折り返し面４３に、引掛け穴４４が設けられる。
【００５７】
引掛け穴４４に、押さえ部３４および引掛け部３３が挿入される。
【００５８】
折り返し面端部４５を支点とし、給気パネル９が回動することで、給気パネル９の開閉が切り替えられる。すなわち、押さえ部３４が引掛け穴４４に挿入された状態と、引掛け部３３が引掛け穴４４に挿入された状態とが切り替わる。
【００５９】
次に、図７、８を用いて、給気パネル９が開いている状態および閉じている状態について説明する。
【００６０】
図７に示すように、例えばメンテナンスなどで給気パネル９が開いている場合、押さえ部３４は、引掛け穴４４に挿入される。このとき、折り返し面端部４５と底面部３２が当接し、折り返し面端部４５から底面部３２に向かって重力が働くことで、給気パネル９はパネル保持部３０に保持される。
【００６１】
図８に示すように、例えば給気を行う際など給気パネル９が閉じている場合、引掛け部３３は引掛け穴４４に挿入される。このとき、折り返し面４３と底面部３２が密着し、折り返し面４３から底面部３２に向かって重力が働くことで、給気パネル９はパネル保持部３０に保持される。
【００６２】
給気パネル９が閉じている場合、給気パネル９は、押さえ部３４によって上方向への移動が制限される。
【００６３】
ここで、本発明の特徴部分である給気パネル９の取り付け方法について図９〜図１１を用いて説明する。
【００６４】
なお、図９〜図１１において、表現の便宜上、引掛け穴４４を点線で示しているが、実際には開口部分である。
【００６５】
図９（ａ）に示すように、給気パネル９を取り付ける際、まず折り返し面端部４５が押さえ部３４の上面側に接触する。このとき、押さえ部３４の傾斜によって図９（ａ）の矢印方向へ給気パネル９が案内される。
【００６６】
案内された給気パネル９は、図９（ｂ）に示すように、給気パネル９の折り返し部４２が引掛け部３３の本体側に接触し、図９（ｂ）の矢印方向へ案内される。これにより、給気パネル９は、図１０（ａ）に示す位置に設けられることとなる。
【００６７】
図１０（ａ）の状態において、図１０（ａ）の矢印方向に給気パネル９が押し込まれることで、図１０（ｂ）に示すように、押さえ部３４が引掛け穴４４へ挿入される。
【００６８】
図１０（ｂ）に示す状態において、押さえ部３４が引掛け穴４４に挿入されることで、図１０（ｂ）の矢印方向すなわち給気パネル９の上下方向の動きが制限される。これにより、給気パネル９開閉時の落下を抑制することができる。
【００６９】
また、図１１（ａ）に示すように、折り返し面端部４５と底面部３２の接触部分を支点とし、引掛け部３３が引掛け穴４４に挿入されながら矢印方向に回動することで給気パネル９を取り付けることが出来る。
【００７０】
図１１（ｂ）に示す状態において、引掛け部３３が引掛け穴４４に挿入されることで、給気パネル９の左右方向の移動が制限される。さらに、押さえ部３４および底面部３２により、給気パネル９の上下方向の移動が制限される。
【００７１】
なお、排気送風機３は本体１の内部に設けたが、本体１の外に設けてもよい。
【００７２】
また、給気パネル９と環気パネル１０が一体である構成としてもよい。
【００７３】
押さえ部３４および引掛け部３３は給気口１２近傍のパネル保持部３０に設けられていてもよい。また、押さえ部３４および引掛け部３３は複数設けられてもよい。
【００７４】
さらに、本発明の特徴部分である給気パネル９の取り付け方法を環気パネル１０に採用してもよく、押さえ部３４および引掛け部３３は、環気パネル１０側にも設けられてもよい。
【産業上の利用可能性】
【００７５】
本発明にかかる換気装置は、外気と室内空気の熱交換を目的とするダクト式の熱交換気装置、ダクト式の空気調和装置などの用途としても有効である。
【符号の説明】
【００７６】
１    本体
２    給気送風機
３    排気送風機
４    外気口
５    排気口
６    全熱交換素子
７    ルーバー
８    ルーバー保持部
９    給気パネル
１０    環気パネル
１２    給気口
１３    環気口
１４    ルーバーフレーム
１５    メンテナンスパネル
１６    点検パネル
１７    天井面
２５    点検開口
２８    第１側面
２９    第２側面
３０    パネル保持部
３１    側面部
３２    底面部
３３    引掛け部
３４    押さえ部
４０    正面部
４１    曲げ部
４２    折り返し部
４３    折り返し面
４４    引掛け穴
４５    折り返し面端部
【図１】
2019027656.tif 000003
【図２】
2019027656.tif 000004
【図３】
2019027656.tif 000005
【図４】
2019027656.tif 000006
【図５】
2019027656.tif 000007
【図６】
2019027656.tif 000008
【図７】
2019027656.tif 000009
【図８】
2019027656.tif 000010
【図９】
2019027656.tif 000011
【図１０】
2019027656.tif 000012
【図１１】
2019027656.tif 000013
【図１２】
2019027656.tif 000014